(57)【要約】【課題】ガス供給体の空気供給筒に対するガス流動方向での位置を簡単な操作で適切に調整できる炉加熱用バーナを提供する。【解決手段】燃焼用通路Ｄｎを備えるバーナタイルＤに先端側が固定され且つ燃焼用空気を導入する燃焼用空気導入部１を備えた空気供給筒Ｂ１と、当該空気供給筒Ｂ１の後端部を貫通する状態で装着され且つ後端側の燃料ガス導入部２から導入される燃料ガスを先端側のガス噴出部Ｇに導くガス供給路Ｆを形成するガス供給体Ｂ２とを備え、空気供給筒Ｂ１の後端部に、ガス供給体Ｂ２の後端側から先端側に向かうガス流動方向に沿う雌ネジ部Ｊｍが設けられ、ガス供給体Ｂ２の外周部に、雄ネジ部Ｊｏがガス流動方向に沿って設けられて、ガス供給体Ｂ２をガス流動方向に沿う回転軸心Ｐの回りで回転させることにより、ガス供給体Ｂ２のガス流動方向での位置を調整する位置調整部Ｊが構成されている。【選択図】図１
2019090545.tif 000002
【特許請求の範囲】
【請求項１】
燃焼用通路を備えるバーナタイルに先端側が固定され且つ燃焼用空気を導入する燃焼用空気導入部を備えた空気供給筒と、当該空気供給筒の後端部を貫通する状態で装着され且つ後端側の燃料ガス導入部から導入される燃料ガスを先端側のガス噴出部に導くガス供給路を形成するガス供給体とを備える炉加熱用バーナであって、
前記空気供給筒の後端部に、前記ガス供給体の後端側から先端側に向かうガス流動方向に沿う雌ネジ部が設けられ、前記ガス供給体の外周部に、前記雌ネジ部に螺合する雄ネジ部が前記ガス流動方向に沿って設けられ、
前記雄ネジ部と前記雌ネジ部とから、前記ガス供給体を前記ガス流動方向に沿う回転軸心の回りで回転させることにより、前記ガス供給体の前記ガス流動方向での位置を調整する位置調整部が構成されている炉加熱用バーナ。
【請求項２】
前記ガス噴出部が、前記燃料ガスと前記燃焼用空気とを混合状態で噴出する混合ガス噴出孔を備えた先端側噴出体と、前記燃料ガスを前記混合ガス噴出孔に向けて噴出する燃料ガス噴出孔を備えた後端側噴出体と、前記燃料ガス噴出孔からの前記燃料ガスの噴出により発生する吸引力により前記燃焼用空気を前記混合ガス噴出孔に導入する空気導入通路を形成する状態で、前記先端側噴出体と前記後端側噴出体とを接続する中間接続体とを備える形態に構成され、
前記先端側噴出体に、前記バーナタイルとの接当により、前記燃焼用空気が前記燃焼用通路に流動することを遮蔽する遮蔽用接当部が設けられ、
前記位置調整部により前記ガス供給体を前方側に移動させることにより、前記遮蔽用接当部が前記バーナタイルに接当する状態に装着されるように構成されている請求項１記載の炉加熱用バーナ。
【請求項３】
前記ガス噴出部が、前記燃料ガスと前記燃焼用空気とを混合状態で噴出する混合ガス噴出孔を備えた先端側噴出体と、前記燃料ガスを前記混合ガス噴出孔に向けて噴出する燃料ガス噴出孔を備えた後端側噴出体と、前記燃料ガス噴出孔からの前記燃料ガスの噴出により発生する吸引力により前記燃焼用空気を前記混合ガス噴出孔に導入する空気導入通路を形成する状態で、前記先端側噴出体と前記後端側噴出体とを接続する中間接続体とを備える形態に構成され、
前記先端側噴出体に、前記バーナタイルとの接当により、前記燃焼用空気が前記燃焼用通路に流動することを遮蔽する遮蔽用接当部が設けられ、
前記位置調整部により前記ガス供給体を前記ガス流動方向に沿う方向に前後に移動させることにより、前記遮蔽用接当部が前記バーナタイルに接当する接当状態と前記遮蔽用接当部が前記バーナタイルから離間する離間状態とに切換えられるように構成されている請求項１記載の炉加熱用バーナ。
【請求項４】
前記遮蔽用接当部が、前記先端側噴出体の外方側に張り出すフランジ部として形成されて、前記バーナタイルの外方側の端面に接当するように構成されている請求項２又は３記載の炉加熱用バーナ。
【請求項５】
前記遮蔽用接当部が、前記先端側噴出体の外周部を先端側ほど小径とする截頭円錐状に形成した嵌合部として形成されて、前記バーナタイルにおける前記燃焼用通路の後端側の角部に接当するように構成されている請求項２又は３記載の炉加熱用バーナ。
【請求項６】
前記ガス噴出部が、前記燃料ガスを噴出する燃料ガス噴出体を、当該燃料ガス噴出体の外周囲を通して前記燃焼用空気を流動させる空気流動用通路を形成する状態で、前記空気供給筒の内部又は前記燃焼用通路の内部に位置させる形態に構成され、
前記燃料ガス噴出体の前記ガス流動方向に沿う方向での位置が前記位置調整部により調整されるように構成されている請求項１記載の炉加熱用バーナ。
【発明の詳細な説明】
【技術分野】
【０００１】
本発明は、燃焼用通路を備えるバーナタイルに先端側が固定され且つ燃焼用空気を導入する燃焼用空気導入部を備えた空気供給筒と、当該空気供給筒の後端部を貫通する状態で装着され且つ後端側の燃料ガス導入部から導入される燃料ガスを先端側のガス噴出部に導くガス供給路を形成するガス供給体とを備える炉加熱用バーナに関する。
【背景技術】
【０００２】
かかる炉加熱用バーナは、都市ガス等の燃料ガスを燃焼させて炉内を加熱するものであり、バーナタイルを炉壁に装着する形態で、各種の加熱炉に装備されて使用される。
炉加熱用バーナの従来例（以下、第１従来例と呼称）として、ガス供給体における空気供給筒の後端部を貫通する部分を、空気供給筒の後端部に対して、ファスナーにて締付固定することによって、ガス供給体を、空気供給筒に対して、当該ガス供給体の後端側から先端側に向かうガス流動方向の一定位置に位置決め固定するように構成されたものがある（例えば、特許文献１参照。）。
【０００３】
特許文献１の炉加熱用バーナは、ガス供給体のガス噴出部が、燃料ガスを噴出する燃料ガス噴出体を、当該燃料ガス噴出体の外周囲を通して燃焼用空気を流動させる空気流動用通路を形成する状態で、空気供給筒の内部に位置させる形態に構成されている。尚、燃料ガス噴出体の先端部が、空気供給筒から前方側に突出して、バーナタイルの燃焼用通路内に位置する状態になっている。
そして、燃料ガス噴出体から噴出される燃料ガスを、空気流動用通路を通して供給される燃焼用空気にて燃焼させて、バーナタイルの燃焼用通路内に火炎を形成するように構成されている。
【０００４】
炉加熱用バーナの別の従来例（以下、第２従来例と呼称）として、図７に示す形態のものがある。
すなわち、燃焼用通路Ｄｎを備えるバーナタイルＤが、加熱炉Ｋの炉壁Ｋｎに装着されている。そして、炉加熱用バーナＢが、バーナタイルＤに先端側が固定され且つ燃焼用空気を導入する燃焼用空気導入部１を備えた空気供給筒Ｂ１と、当該空気供給筒Ｂ１の後端部を貫通する状態で装着され且つ後端側の燃料ガス導入部２から導入される燃料ガスを先端側のガス噴出部Ｇに導くガス供給路Ｆを形成するガス供給体Ｂ２とが備えられる。
【０００５】
ガス供給体Ｂ２のガス噴出部Ｇが、燃料ガスと燃焼用空気とを混合状態で噴出する混合ガス噴出孔３を備えた先端側噴出体ＧＳと、燃料ガスを混合ガス噴出孔３に向けて噴出する燃料ガス噴出孔４を備えた後端側噴出体ＧＲとを備え、それら先端側噴出体ＧＳと後端側噴出体ＧＲとを、燃料ガス噴出孔４からの燃料ガスの噴出により発生する吸引力により燃焼用空気を混合ガス噴出孔３に導入する空気導入通路５を形成する状態で、接続する形態に構成されている。
【０００６】
先端側噴出体ＧＳに、バーナタイルＤとの接当により、燃焼用空気が燃焼用通路Ｄｎに流動することを遮蔽する遮蔽用接当部Ｔが設けられている。尚、バーナタイルＤの外方側の端面には、金属製の板状の環状体Ｄａが設けられ、遮蔽用接当部Ｔが環状体Ｄａに接当するようになっている。
この第２従来例では、遮蔽用接当部Ｔが先端側噴出体ＧＳの外方側に張り出すフランジ部６として形成され、バーナタイルＤの外方側の端面に接当するように構成されている。
【０００７】
又、第２従来例の炉加熱用バーナにおいては、ガス供給体Ｂ２における空気供給筒Ｂ１の後端部を貫通する部分にフランジ状の接続部７を設け、その接続部７を空気供給筒Ｂ１の後端部に対して当て付け状態で着脱自在にボルト固定するように構成されている。
つまり、ガス供給体Ｂ２を、空気供給筒Ｂ１に対して、当該ガス供給体Ｂ２の後端側から先端側に向かうガス流動方向の一定位置に位置決め固定するように構成されている。
【０００８】
そして、この第２従来例の炉加熱用バーナでは、フランジ部６として形成された遮蔽用接当部Ｔを、バーナタイルＤの外方側の端面に接当させるために、先端側噴出体ＧＳが、後端側噴出体ＧＲに対して、ガス供給体Ｂ２の後端側から先端側に向かうガス流動方向に沿って位置調節自在に螺合されるように構成されている。
説明を加えると、先端側噴出体ＧＳと後端側噴出体ＧＲとを螺合連結する螺合連結部Ｒが設けられ、先端側噴出体ＧＳを回転させることにより、当該先端側噴出体ＧＳのガス流動方向での位置を調整できるように構成されている。
【０００９】
すなわち、この第２従来例の炉加熱用バーナにおいては、ガス供給体Ｂ２における接続部７と空気供給筒Ｂ１の後端部との締付固定を解除して、ガス供給体Ｂ２を空気供給筒Ｂ１から分離した状態で、先端側噴出体ＧＳを回転させてガス流動方向での位置を調整することになる。その後、ガス供給体Ｂ２における接続部７と空気供給筒Ｂ１の後端部とを締付固定しながら、ガス供給体Ｂ２を空気供給筒Ｂ１に装着することになる。
つまり、ガス供給体Ｂ２を空気供給筒Ｂ１に装着した際に、遮蔽用接当部Ｔとしてのフランジ部６がバーナタイルＤの外方側の端面に接当する状態となるように、ガス供給体Ｂ２を空気供給筒Ｂ１から分離した状態で、先端側噴出体ＧＳの後端側噴出体ＧＲに対するガス流動方向での位置を調整することになる。
【先行技術文献】
【特許文献】
【００１０】
【特許文献１】特開２０００‐１４６１１４号公報
【発明の概要】
【発明が解決しようとする課題】
【００１１】
第１従来例の炉加熱用バーナ及び第２従来例の炉加熱用バーナにおいては、ガス供給体を、空気供給筒に対して、当該ガス供給体の後端側から先端側に向かうガス流動方向の一定位置に位置決め固定するものであるため、使い難い面があり改善が望まれるものであった。
【００１２】
すなわち、第１従来例の炉加熱用バーナにおいては、燃料ガスを噴出する燃料ガス噴出体のガス流動方向における位置を調整することにより、例えば、燃焼炎の形状を変更させる等、燃焼状態の調整を行えるものであるから、そのような燃焼状態の調整を行えるようにすることが望まれているが、従来では、燃焼状態の調整が行えないものであった。
【００１３】
また、第２従来例の炉加熱用バーナにおいては、先端側噴出体に設けた遮蔽用接当部をバーナタイルに接当する状態に適切に調整するために、ガス供給体を空気供給筒から分離した状態で、先端側噴出体の中間接続体に対する位置を調整しなければならない面倒があり、また、ガス供給体を空気供給筒に装着した状態において、遮蔽用接当部がバーナタイルに適切に接当しているか否かが分かり難いものであり、改善が望まれている。
【００１４】
本発明は、上記実情に鑑みて為されたものであって、その目的は、ガス供給体の空気供給筒に対するガス流動方向での位置を簡単な操作で適切に調整できる炉加熱用バーナを提供する点にある。
【課題を解決するための手段】
【００１５】
本発明の炉加熱用バーナは、燃焼用通路を備えるバーナタイルに先端側が固定され且つ燃焼用空気を導入する燃焼用空気導入部を備えた空気供給筒と、当該空気供給筒の後端部を貫通する状態で装着され且つ後端側の燃料ガス導入部から導入される燃料ガスを先端側のガス噴出部に導くガス供給路を形成するガス供給体とを備えるものであって、その特徴構成は、
前記空気供給筒の後端部に、前記ガス供給体の後端側から先端側に向かうガス流動方向に沿う雌ネジ部が設けられ、前記ガス供給体の外周部に、前記雌ネジ部に螺合する雄ネジ部が前記ガス流動方向に沿って設けられ、
前記雄ネジ部と前記雌ネジ部とから、前記ガス供給体を前記ガス流動方向に沿う回転軸心の回りで回転させることにより、前記ガス供給体の前記ガス流動方向での位置を調整する位置調整部が構成されている点にある。
【００１６】
すなわち、ガス供給体をガス流動方向に沿う回転軸心の回りで回転させることにより、ガス供給体のガス流動方向での位置を調整する位置調整部を設けるものであるから、ガス供給体における空気供給筒から後方側に突出する部分を回転操作する等の簡単な操作により、ガス供給体のガス流動方向での位置を調整することができる。
【００１７】
しかも、空気供給筒の後端部に設けた雌ネジ部とガス供給体の外周部に設けた雄ネジ部とから位置調整部を構成するものであるから、ガス供給体のガス流動方向での位置を螺進移動により調整するため、微小な位置も適切に調整する等、ガス供給体のガス流動方向での位置を適切に調整することができる。
【００１８】
要するに、本発明の炉加熱用バーナの特徴構成によれば、ガス供給体の空気供給筒に対するガス流動方向での位置を簡単な操作で適切に調整できる。
【００１９】
本発明の炉加熱用バーナの更なる特徴構成は、前記ガス噴出部が、前記燃料ガスと前記燃焼用空気とを混合状態で噴出する混合ガス噴出孔を備えた先端側噴出体と、前記燃料ガスを前記混合ガス噴出孔に向けて噴出する燃料ガス噴出孔を備えた後端側噴出体とを、前記燃料ガス噴出孔からの前記燃料ガスの噴出により発生する吸引力により前記燃焼用空気を前記混合ガス噴出孔に導入する空気導入通路を形成する状態で、接続する形態に構成され、
前記先端側噴出体に、前記バーナタイルとの接当により、前記燃焼用空気が前記燃焼用通路に流動することを遮蔽する遮蔽用接当部が設けられ、
前記位置調整部により前記ガス供給体を前方側に移動させることにより、前記遮蔽用接当部が前記バーナタイルに接当する状態に装着されるように構成されている点にある。
【００２０】
すなわち、後端側噴出体の燃料ガス噴出孔から先端側噴出体の混合ガス噴出孔に向けて燃料ガスを噴出することにより、燃料ガス噴出孔からの燃料ガスの噴出により発生する吸引力により、空気導入通路を通して燃焼用空気が混合ガス噴出孔に導入することになり、混合ガス噴出孔に向けて噴出される燃料ガスと混合ガス噴出孔に導入される燃焼用空気との混合を適切に促進させることができるものとなるから、燃料ガスの燃焼のために供給する燃焼用空気の量を極力減少させるようにして、高温の燃焼炎を形成させることができるものとなる。
【００２１】
このように高温の燃焼炎を形成するためには、先端側噴出体に設けた遮蔽用接当部をバーナタイルに適切に接当させて、燃焼用空気がバーナタイルの燃焼用通路に流動することを的確に遮蔽する必要があるが、位置調整部によりガス供給体を前方側に移動させながら、遮蔽用接当部をバーナタイルに接当する状態に装着させることができるため、遮蔽用接当部をバーナタイルに適切に接当させることができる。
【００２２】
しかも、位置調整部によりガス供給体を前方側に移動させることは、ガス供給体における空気供給筒から後方側に突出する部分を回転操作する等の簡単な操作により行えるものであるから、簡単な操作により、遮蔽用接当部をバーナタイルに適切に接当させることができる。
【００２３】
さらには、遮蔽用接当部がバーナタイルに適切に接当した状態であることは、遮蔽用接当部がバーナタイルに接当することによって、ガス供給体を回転操作することができない状態になることによって、的確に認識できるものであるから、遮蔽用接当部がバーナタイルに適切に接当させる状態に、的確に操作できるものとなる。
【００２４】
要するに、本発明の炉加熱用バーナの更なる特徴構成によれば、遮蔽用接当部がバーナタイルに適切に接当させる状態に、簡単な操作により的確に操作できるものとなる。
【００２５】
本発明の炉加熱用バーナの更なる特徴構成は、前記ガス噴出部が、前記燃料ガスと前記燃焼用空気とを混合状態で噴出する混合ガス噴出孔を備えた先端側噴出体と、前記燃料ガスを前記混合ガス噴出孔に向けて噴出する燃料ガス噴出孔を備えた後端側噴出体とを、前記燃料ガス噴出孔からの前記燃料ガスの噴出により発生する吸引力により前記燃焼用空気を前記混合ガス噴出孔に導入する空気導入通路を形成する状態で、接続する形態に構成され、
前記先端側噴出体に、前記バーナタイルとの接当により、前記燃焼用空気が前記燃焼用通路に流動することを遮蔽する遮蔽用接当部が設けられ、
前記位置調整部により前記ガス供給体を前記ガス流動方向に沿う方向に前後に移動させることにより、前記遮蔽用接当部が前記バーナタイルに接当する接当状態と前記遮蔽用接当部が前記バーナタイルから離間する離間状態とに切換えられるように構成されている点にある。
【００２６】
すなわち、位置調整部によりガス供給体をガス流動方向に沿う方向に前後に移動させることにより、遮蔽用接当部がバーナタイルに接当する接当状態と遮蔽用接当部がバーナタイルから離間する離間状態とに切換えることができる。
【００２７】
そして、後端側噴出体の燃料ガス噴出孔から先端側噴出体の混合ガス噴出孔に向けて燃料ガスを噴出することにより、燃料ガス噴出孔からの燃料ガスの噴出により発生する吸引力により、空気導入通路を通して燃焼用空気が混合ガス噴出孔に導入することになり、混合ガス噴出孔に向けて噴出される燃料ガスと混合ガス噴出孔に導入される燃焼用空気との混合を適切に促進させることができるものとなるから、先端側噴出体に設けた遮蔽用接当部をバーナタイルに接当する接当状態にして、燃焼用空気がバーナタイルの燃焼用通路に流動することを遮蔽した状態においては、燃料ガスの燃焼のために供給される燃焼用空気の量を極力減少させるようにして、高温の燃焼炎を形成させることができるものとなる。
【００２８】
このように高温の燃焼炎を形成するためには、先端側噴出体に設けた遮蔽用接当部をバーナタイルに適切に接当させて、燃焼用空気がバーナタイルの燃焼用通路に流動することを的確に遮蔽する必要があるが、位置調整部によりガス供給体を前方側に移動させながら、遮蔽用接当部をバーナタイルに接当する状態に装着させることができるため、遮蔽用接当部をバーナタイルに適切に接当させることができる。
【００２９】
しかも、位置調整部によりガス供給体を前方側に移動させることは、ガス供給体における空気供給筒から後方側に突出する部分を回転操作する等の簡単な操作により行えるものであるから、簡単な操作により、遮蔽用接当部をバーナタイルに適切に接当させることができる。
【００３０】
さらには、遮蔽用接当部がバーナタイルに適切に接当した状態であることは、遮蔽用接当部がバーナタイルに接当することによって、ガス供給体を回転操作することができない状態になることによって、的確に認識できるものであるから、遮蔽用接当部がバーナタイルに適切に接当させる状態に、的確に操作できるものとなる。
【００３１】
加えて、位置調整部によりガス供給体をバーナタイルから離れる方向に移動させて、先端側噴出体の遮蔽用接当部がバーナタイルから離間する離間状態に切換えることにより、燃焼用空気がバーナタイルの燃焼用通路に流動する状態にすることができる。
そして、この離間状態においては、燃料ガス噴出孔から混合ガス噴出孔に噴出された燃料ガスを、空気導入通路を通して混合ガス噴出孔に導入された燃焼用空気と混合させながら一次燃焼させることに加えて、バーナタイルの燃焼用通路を流動する燃焼用空気を二次燃焼用空気として用いるようにしながら二次燃焼させる形態で燃焼させる、いわゆる二段燃焼形態で燃焼させることができるものとなる。
【００３２】
要するに、本発明の炉加熱用バーナの更なる特徴構成によれば、高温の燃焼炎を形成する燃焼状態と二段燃焼形態で燃焼させる燃焼状態とに、簡単な操作で切換えることができ、しかも、高温の燃焼炎を形成する燃焼状態において、遮蔽用接当部をバーナタイルに接当させる状態に、簡単な操作により的確に操作できる。
【００３３】
本発明の炉加熱用バーナの更なる特徴構成は、前記遮蔽用接当部が、前記先端側噴出体の外方側に張り出すフランジ部として形成されて、前記バーナタイルの外方側の端面に接当するように構成されている点にある。
【００３４】
すなわち、フランジ部として形成されている遮蔽用接当部が、バーナタイルの外方側の端面に接当するように構成されているから、面接触状態の大きなシール面を確保して、燃焼用空気がバーナタイルの燃焼用通路に流動することを適切に遮蔽することができる。
【００３５】
要するに、本発明の炉加熱用バーナの更なる特徴構成によれば、燃焼用空気がバーナタイルの燃焼用通路に流動することを適切に遮蔽することができる。
【００３６】
本発明の炉加熱用バーナの更なる特徴構成は、前記遮蔽用接当部が、前記先端側噴出体の外周部を先端側ほど小径とする截頭円錐状に形成した嵌合部として形成されて、前記バーナタイルにおける前記燃焼用通路の後端側の角部に接当するように構成されている点にある。
【００３７】
すなわち、截頭円錐状の嵌合部として形成されている遮蔽用接当部が、バーナタイルにおける燃焼用通路の後端側の角部に接当するように構成されているから、例えば、空気供給筒をバーナタイルに固定状態に設置するにあたり、多少の設置誤差が生じる等、諸々の製作誤差があっても、バーナタイル側に移動する嵌合部を、燃焼用通路の後端側の角部にて案内する作用により、嵌合部の全周を角部に接当させる状態にすることができるため、燃焼用空気がバーナタイルの燃焼用通路に流動することを適切に遮蔽することができる。
【００３８】
要するに、本発明の炉加熱用バーナの更なる特徴構成によれば、諸々の製作誤差があっても、燃焼用空気がバーナタイルの燃焼用通路に流動することを適切に遮蔽することができる。
【００３９】
本発明の炉加熱用バーナの更なる特徴構成は、前記ガス噴出部が、前記燃料ガスを噴出する燃料ガス噴出体を、当該燃料ガス噴出体の外周囲を通して前記燃焼用空気を流動させる空気流動用通路を形成する状態で、前記空気供給筒の内部又は前記燃焼用通路の内部に位置させる形態に構成され、
前記燃料ガス噴出体の前記ガス流動方向に沿う方向での位置が前記位置調整部により調整されるように構成されている点にある。
【００４０】
すなわち、燃料ガス噴出体のガス流動方向に沿う方向での位置を位置調整部により調整することにより、空気供給筒の内部又は燃焼用通路の内部に対する燃料ガス噴出体の位置が調整されることにより、例えば、燃焼炎の形状を変更させる等、燃焼状態の調整を行えることになる。
【００４１】
説明を加えると、例えば、燃料ガス噴出体をバーナタイルの燃焼用通路の内部に位置させる場合において、燃料ガス噴出体を燃焼用通路の後端側に位置させると、燃料ガス噴出体から噴出される燃料ガスと空気流動用通路を通して供給される燃焼用空気との混合が、燃焼用通路の内部を流動する際に促進されることになるため、燃料ガスと燃焼用空気との混合が促進された火炎長が短い高温の燃焼炎を形成することができる。
【００４２】
これに対して、燃料ガス噴出体をバーナタイルの燃焼用通路の内部に位置させる場合において、燃料ガス噴出体を燃焼用通路の先端側に位置させると、燃料ガス噴出体から噴出される燃料ガスと空気流動用通路を通して供給される燃焼用空気との混合が、燃焼用通路の外部の炉内空間を流動しながら緩慢に行われることになるため、燃料ガスと燃焼用空気との混合を緩慢に行いながら火炎長が長い低温の燃焼炎を形成することができる。
【００４３】
要するに、本発明の炉加熱用バーナの更なる特徴構成によれば、燃焼状態の調整を良好に行える。
【図面の簡単な説明】
【００４４】
【図１】炉加熱用バーナの縦断側面図
【図２】バーナ先端部の縦断側面図
【図３】第２実施形態の炉加熱用バーナの縦断側面図
【図４】第２実施形態のバーナ先端部の縦断側面図
【図５】第３実施形態の炉加熱用バーナの縦断側面図
【図６】第３実施形態のバーナ先端部の縦断側面図
【図７】従来例の炉加熱用バーナの縦断側面図
【発明を実施するための形態】
【００４５】
〔第１実施形態〕
以下、本発明の第１実施形態を図面に基づいて説明する。尚、第１実施形態を説明するにあたり、上述の従来例（第２従来例）における炉加熱用バーナの構成部材と同じ構成部材については、従来例（第２従来例）と同じ符号を付記する。
【００４６】
（炉加熱用バーナの全体構成）
図１に示すように、燃焼用通路Ｄｎを備えるバーナタイルＤが、加熱炉Ｋの炉壁Ｋｎに装着されている。本実施形態においては、燃焼用通路Ｄｎが、円筒状に形成されている。
そして、炉加熱用バーナＢが、バーナタイルＤに先端側が固定され且つ燃焼用空気を導入する燃焼用空気導入部１を備えた空気供給筒Ｂ１と、当該空気供給筒Ｂ１の後端部を貫通する状態で装着され且つ後端側の燃料ガス導入部２から導入される燃料ガスを先端側のガス噴出部Ｇに導くガス供給路Ｆを形成するガス供給体Ｂ２とを備えている。
【００４７】
燃料ガス導入部２には、ガス供給体Ｂ２を回転自在に連結する自在継手８が接続され、その自在継手８には、燃料ガスとしての都市ガスを供給する燃料ガス供給管９が接続されている。燃料ガス供給管９が、フレキシブル管を用いて形成されて、屈曲自在に構成されている。
つまり、ガス供給体Ｂ２が、後述の如く、回転軸心Ｐの回りで回転されることを、自在継手８によって許容し、かつ、ガス供給体Ｂ２が、後述の如く、ガス流動方向に沿って前後に移動することを、燃料ガス供給管９の屈曲により許容するように構成されている。
【００４８】
燃焼用空気導入部１には、図示は省略するが、空気供給ファンから供給される燃焼用空気が供給されている。
本実施形態のバーナタイルＤには、燃焼用通路Ｄｎの内面及び外方側の端面に亘る状態で補強用の筒状金属体１０が装着され、空気供給筒Ｂ１の先端部が筒状金属体１０にボルト連結されている。
【００４９】
（ガス噴出部の詳細）
ガス噴出部Ｇが、燃料ガスを噴出する燃料ガス噴出体Ｇｆを、当該燃料ガス噴出体Ｇｆの外周囲を通して燃焼用空気を流動させる空気流動用通路１１を形成する状態で、燃焼用通路Ｄｎの内部に位置させる形態に構成されている。
【００５０】
燃料ガス噴出体Ｇｆが、ガス供給路Ｆにて供給される燃料ガスを噴出する噴出ノズル部１２を備え、且つ、前方に向かうほど漸次大径となるコーン状のガス案内体１３を噴出ノズル部１２の前部に備える形態に構成されている。
尚、本実施形態においては、ガス供給体Ｂ２のうちのガス案内体１３よりも後方側に位置する部分が、直管状の管状体にて形成され、その管状体の先端部に環状のノズル形成部材１２Ａを装着することにより、噴出ノズル部１２が形成されている。
【００５１】
そして、噴出ノズル部１２から噴出された燃料ガスが、ガス案内体１３の内部を径方向に拡がりながら流動した後、空気流動用通路１１を流動する燃焼用空気と混合して燃焼するように構成されている。
【００５２】
（位置調整部について）
空気供給筒Ｂ１の後端部に、ガス供給体Ｂ２の後端側から先端側に向かうガス流動方向に沿う雌ネジ部Ｊｍが設けられ、ガス供給体Ｂ２の外周部に、雌ネジ部Ｊｍに螺合する雄ネジ部Ｊｏがガス流動方向に沿って設けられている。
そして、雄ネジ部Ｊｏと雌ネジ部Ｊｍとから、ガス供給体Ｂ２をガス流動方向に沿う回転軸心Ｐの回りで回転させることにより、ガス供給体Ｂ２のガス流動方向での位置を調整する位置調整部Ｊが構成されている。
【００５３】
本実施形態では、雌ネジ部Ｊｍとして、ガス流動方向に沿う雌ネジを形成した環状の雌ネジ形成部材１４が、空気供給筒Ｂ１の後端部に装着され、また、雄ネジ部Ｊｏとして、ガス流動方向に沿う雄ネジを形成した筒状の雄ネジ形成部材１５が、ガス供給体Ｂ２に外嵌着されている。
また、雄ネジ形成部材１５には、ガス流動方向での位置を調整してガス供給体Ｂ２の位置を固定するためのロックナット１６が螺合されている。
【００５４】
（燃焼状態の調整について）
ガス供給体Ｂ２のガス流動方向での位置を位置調整部Ｊにより調整することによって、燃料ガス噴出体Ｇｆの燃焼用通路Ｄｎの内部におけるガス流動方向に沿う方向での位置を調整して、燃焼状態を調整するように構成されている。
【００５５】
説明を加えると、図２に示すように、燃料ガス噴出体Ｇｆを燃焼用通路Ｄｎの後端側に位置させると、燃料ガス噴出体Ｇｆから噴出される燃料ガスと空気流動用通路１１を通して供給される燃焼用空気との混合が、燃焼用通路Ｄｎの内部を流動する際に促進されることになるため、燃料ガスと燃焼用空気との混合が促進された火炎長が短い高温の燃焼炎を形成することができる。
【００５６】
これに対して、図１に示すように、燃料ガス噴出体Ｇｆを燃焼用通路Ｄｎの先端側に位置させると、燃料ガス噴出体Ｇｆから噴出される燃料ガスと空気流動用通路１１を通して供給される燃焼用空気との混合が、燃焼用通路Ｄｎの外部の炉内空間を流動しながら緩慢に行われることになるため、燃料ガスと燃焼用空気との混合が緩慢となることにより火炎長が長い低温の燃焼炎を形成することができる。
【００５７】
〔第２実施形態〕
次に、本発明の第２実施形態を図面に基づいて説明するが、この第２実施形態は、ガス噴出部Ｇの別実施形態を示すものであって、上記第１実施形態で説明した部材と同様な部材については、第１実施形態で付した符号と同じ符号を付して詳細な説明を省略する。
また、この第２実施形態のガス噴出部Ｇは、上述の従来例（第２従来例）における炉加熱用バーナＢのガス噴出部Ｇと同様な構成であり、上述の従来例（第２従来例）の構成部材と同じ構成部材については、従来例（第２従来例）と同じ符号を付記する。
【００５８】
図３に示すように、ガス供給体Ｂ２のガス噴出部Ｇが、燃料ガスと燃焼用空気とを混合状態で噴出する混合ガス噴出孔３を備えた先端側噴出体ＧＳと、燃料ガスを混合ガス噴出孔３に向けて噴出する燃料ガス噴出孔４を備えた後端側噴出体ＧＲとを備え、燃料ガス噴出孔４からの燃料ガスの噴出により発生する吸引力により燃焼用空気を混合ガス噴出孔３に導入する空気導入通路５を形成する状態で、先端側噴出体ＧＳと後端側噴出体ＧＲとを接続する形態に構成されている。
【００５９】
先端側噴出体ＧＳに、バーナタイルＤとの接当により、燃焼用空気が燃焼用通路Ｄｎに流動することを遮蔽する遮蔽用接当部Ｔが設けられている。
この第２実施形態では、遮蔽用接当部Ｔが先端側噴出体の外方側に張り出すフランジ部６として形成されて、バーナタイルＤの外方側の端面に接当するように構成されている。
【００６０】
また、位置調整部Ｊによりガス供給体Ｂ２をガス流動方向に沿う方向に前後に移動させることにより、遮蔽用接当部ＴがバーナタイルＤに接当する接当状態と遮蔽用接当部ＴがバーナタイルＤから離間する離間状態とに切換えるように構成されている。
【００６１】
（燃焼状態の調整について）
位置調整部Ｊによりガス供給体Ｂ２をガス流動方向に沿って前後に移動させて、遮蔽用接当部ＴがバーナタイルＤに接当する接当状態と遮蔽用接当部ＴがバーナタイルＤから離間する離間状態とに切換えることにより、燃焼状態を調整するように構成されている。
【００６２】
すなわち、後端側噴出体ＧＲの燃料ガス噴出孔４から先端側噴出体ＧＳの混合ガス噴出孔３に向けて燃料ガスを噴出することにより、燃料ガス噴出孔４からの燃料ガスの噴出により発生する吸引力により、空気導入通路５を通して燃焼用空気が混合ガス噴出孔３に導入することになり、混合ガス噴出孔３に向けて噴出される燃料ガスと混合ガス噴出孔３に導入される燃焼用空気との混合を適切に促進させることができるものとなるから、図３に示すように、先端側噴出体ＧＳに設けた遮蔽用接当部ＴをバーナタイルＤに接当する接当状態にして、燃焼用空気がバーナタイルＤの燃焼用通路Ｄｎに流動することを遮蔽した状態においては、燃料ガスの燃焼のために供給される燃焼用空気の量を極力減少させるようにして、高温の燃焼炎を形成させることができるものとなる。
【００６３】
また、位置調整部Ｊによりガス供給体Ｂ２をバーナタイルＤから離れる方向に移動させて、先端側噴出体ＧＳの遮蔽用接当部ＴをバーナタイルＤから離間させる離間状態においては、当該離間した箇所を通して、燃焼用空気がバーナタイルＤの燃焼用通路Ｄｎに流動することになる。
したがって、図４に示すように、離間状態においては、燃料ガス噴出孔４から混合ガス噴出孔３に噴出された燃料ガスを、空気導入通路５を通して混合ガス噴出孔３に導入された燃焼用空気と混合させながら一次燃焼させることに加えて、バーナタイルＤの燃焼用通路Ｄｎを流動する燃焼用空気を二次燃焼用空気として用いるようにしながら二次燃焼させる形態で燃焼させる、いわゆる二段燃焼形態で燃焼させることができるものとなる。
【００６４】
〔第３実施形態〕
次に、本発明の第３実施形態を図面に基づいて説明するが、この第３実施形態は、上記第２実施形態で説明したガス噴出部Ｇの別実施形態を示すものであって、第２実施形態で説明した部材と同様な部材については、第２実施形態で付した符号と同じ符号を付して詳細な説明を省略する。
【００６５】
図５に示すように、遮蔽用接当部Ｔが、先端側噴出体ＧＳの外周部を先端側ほど小径とする截頭円錐状に形成した嵌合部１７として形成されて、バーナタイルＤにおける燃焼用通路Ｄｎの後端側の角部に接当するように構成されている。
尚、この実施形態においては、バーナタイルＤの燃焼用通路Ｄｎが、前方に向かうほど漸次大径となるコーン状に形成され、また、バーナタイルＤの外方側の端面に、補強用の環状金属体１８が装着されている。
【００６６】
また、位置調整部Ｊによりガス供給体Ｂ２をガス流動方向に沿う方向に前後に移動させることにより、遮蔽用接当部Ｔとしての嵌合部１７がバーナタイルＤの角部に接当する接当状態と遮蔽用接当部Ｔとしての嵌合部１７がバーナタイルＤの角部から離間する離間状態とに切換えられるように構成されている。
【００６７】
（燃焼状態の調整について）
位置調整部Ｊによりガス供給体Ｂ２をガス流動方向に沿って前後に移動させて、遮蔽用接当部Ｔがバーナタイルに接当する接当状態と遮蔽用接当部ＴがバーナタイルＤから離間する離間状態とに切換えて、燃焼状態を調整するように構成されている。
【００６８】
すなわち、後端側噴出体ＧＲの燃料ガス噴出孔４から先端側噴出体ＧＳの混合ガス噴出孔３に向けて燃料ガスを噴出することにより、燃料ガス噴出孔４からの燃料ガスの噴出により発生する吸引力により、空気導入通路５を通して燃焼用空気が混合ガス噴出孔３に導入することになり、混合ガス噴出孔３に向けて噴出される燃料ガスと混合ガス噴出孔３に導入される燃焼用空気との混合を適切に促進させることができるものとなるから、図５に示すように、先端側噴出体ＧＳに設けた遮蔽用接当部Ｔとしての嵌合部１７をバーナタイルＤの角部に接当する接当状態にして、燃焼用空気がバーナタイルＤの燃焼用通路Ｄｎに流動することを遮蔽した状態においては、燃料ガスの燃焼のために供給される燃焼用空気の量を極力減少させるようにして、高温の燃焼炎を形成させることができるものとなる。
【００６９】
また、位置調整部Ｊによりガス供給体Ｂ２をバーナタイルＤから離れる方向に移動させて、先端側噴出体ＧＳの遮蔽用接当部Ｔとしての嵌合部１７をバーナタイルＤの角部から離間させる離間状態においては、当該離間した箇所を通して燃焼用空気がバーナタイルＤの燃焼用通路Ｄｎに流動することになる。
したがって、図６に示すように、離間状態においては、燃料ガス噴出孔４から混合ガス噴出孔３に噴出された燃料ガスを、空気導入通路５を通して混合ガス噴出孔３に導入された燃焼用空気と混合させながら一次燃焼させることに加えて、バーナタイルＤの燃焼用通路Ｄｎを流動する燃焼用空気を二次燃焼用空気として用いるようにしながら二次燃焼させる形態で燃焼させる、いわゆる二段燃焼形態で燃焼させることができるものとなる。
【００７０】
〔別実施形態〕
次に、別実施形態を列記する。
（１）上記第１実施形態では、燃料ガスを噴出する燃料ガス噴出体Ｇｆを、当該燃料ガス噴出体Ｇｆの外周囲を通して燃焼用空気を流動させる空気流動用通路１１を形成する状態で、燃焼用通路Ｄｎの内部において、ガス流動方向に沿って位置調整する形態に構成する場合を例示したが、燃料ガス噴出体Ｇｆを、空気供給筒Ｂ１の内部において、ガス流動方向に沿って位置調整する形態に構成してもよく、または、燃料ガス噴出体Ｇｆを、空気供給筒Ｂ１の内部と燃焼用通路Ｄｎの内部とに亘って移動させながら、ガス流動方向に沿って位置調整する形態に構成してもよい。
この場合、空気供給筒Ｂ１を、燃焼用通路Ｄｎの内部に突入させる形態に構成してもよく、また、空気供給筒Ｂ１を、燃焼用通路Ｄｎの内部に突入させない形態に構成してもよい。
【００７１】
（２）上記第２実施形態及び第３実施形態では、位置調整部Ｊによりガス供給体Ｂ２がガス流動方向に沿う方向に前後に移動させることにより、遮蔽用接当部ＴがバーナタイルＤに接当する接当状態と遮蔽用接当部ＴがバーナタイルＤから離間する離間状態とに切換えられる場合を例示したが、位置調整部Ｊによりガス供給体Ｂ２を前方側に移動させることにより、遮蔽用接当部ＴがバーナタイルＤに接当する状態に装着されるように構成してもよい。
つまり、遮蔽用接当部ＴがバーナタイルＤに接当する状態に装着した形態を維持して、燃焼させる形態で実施してもよい。
【００７２】
（３）上記第１〜第３実施形態では、ガス供給体Ｂ２の燃料ガス導入部２を、自在継手８に接続する場合を例示したが、燃料ガス導入部２を燃料ガス供給管９に着脱自在に接続して、自在継手８を省略する形態で実施してもよい。つまり、ガス供給体Ｂ２を回転操作する際には、燃料ガス導入部２から燃料ガス供給管９を分離させるようにしてもよい。
【００７３】
（４）上記第１及び第２実施形態では、バーナタイルＤの燃焼用通路Ｄｎを円筒状に形成する場合を例示したが、第３実施形態の如く、燃焼用通路Ｄｎをコーン状に形成してもよく、同様に、第３実施形態において、バーナタイルＤの燃焼用通路Ｄｎを円筒状に形成してもよい。
【００７４】
（５）上記第１〜第３実施形態に記載の如く、位置調整部Ｊによりガス供給体Ｂ２をガス流動方向に沿う方向に位置調整して燃焼状態を調整する場合には、燃焼用空気導入部１から導入する燃焼用空気量と燃料ガス導入部２から導入する燃料ガス量との比を、調整する燃焼状態に合わせて適宜調整する形態で実施してもよい。
【００７５】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【符号の説明】
【００７６】
１      空気導入部
２      燃料ガス導入部
３      混合ガス噴出孔
４      燃料ガス噴出孔
５      空気導入通路
６      フランジ部
１７    嵌合部
Ｂ１    空気供給筒
Ｂ２    ガス供給体
Ｄ      バーナタイル
Ｄｎ    燃焼用通路
Ｆ      ガス供給路
Ｇ      ガス噴出部
Ｇｆ    燃料ガス噴出体
ＧＲ    後端側噴出体
ＧＳ    先端側噴出体
Ｊ      位置調整部
Ｊｍ    雌ネジ部
Ｊｏ    雄ネジ部
Ｐ      回転軸心
Ｔ      遮蔽用接当部
【図１】
2019090545.tif 000003
【図２】
2019090545.tif 000004
【図３】
2019090545.tif 000005
【図４】
2019090545.tif 000006
【図５】
2019090545.tif 000007
【図６】
2019090545.tif 000008
【図７】
2019090545.tif 000009